(57)【要約】【課題】  植え継ぎ培養法の不具合及び連続培養法の不具合を共に解消し、養魚用餌料生物の種類や環境条件の変化等に応じた最適な培養動作を行わせることが可能な養魚用餌料生物の培養システムを提供する。【解決手段】  培養槽としての機能及び収穫槽としての機能を兼ね備えた４つの複合機能槽１１〜１４をマトリックス接続して槽ユニット１を構成する。各複合機能槽１１〜１４同士を接続する配管１ａ〜１ｆに電動弁を備えさせ、これら電動弁の開閉を切り換えることによって各槽同士の接続状態を任意に切り換え可能にする。繁殖力の高いワムシを培養する場合には、培養槽として機能する複合機能槽を１つとし、収穫槽として機能する複合機能槽を３つとしてシステムを構築する。繁殖力の低いワムシを培養する場合には、培養槽として機能する複合機能槽を３つとし、収穫槽として機能する複合機能槽を１つとしてシステムを構築する。【選択図】      図１
2005058037.tif 000002
【特許請求の範囲】
【請求項１】
養魚用餌料生物を培養するシステムであって、
培養槽としての機能及び収穫槽としての機能を兼ね備えた３個以上の複合機能槽が互いに配管接続されており、これら配管による各複合機能槽同士の連通状態を切り換えることによって、培養槽として機能する複合機能槽の数と収穫槽として機能する複合機能槽の数とを任意に切り換え可能に構成されており、
上記培養槽として機能する複合機能槽に培養液を導入しつつ、この複合機能槽から排出された養魚用餌料生物を含む培養液を、収穫槽として機能する複合機能槽に収穫していくよう構成されていることを特徴とする養魚用餌料生物の培養システム。
【請求項２】
養魚用餌料生物を培養するシステムであって、
培養槽としての機能及び収穫槽としての機能を兼ね備えた４個以上の複合機能槽が互いに配管接続されており、これら配管による各複合機能槽同士の連通状態を切り換えることによって、培養槽として機能する複合機能槽の数よりも収穫槽として機能する複合機能槽の数を多くする第１の複合機能槽使用形態と、培養槽として機能する複合機能槽の数よりも収穫槽として機能する複合機能槽の数を少なくする第２の複合機能槽使用形態とを任意に切り換え可能に構成されており、
上記培養槽として機能する複合機能槽に培養液を導入しつつ、この複合機能槽から排出された養魚用餌料生物を含む培養液を、収穫槽として機能する複合機能槽に収穫していくよう構成されていることを特徴とする養魚用餌料生物の培養システム。
【請求項３】
請求項１または２記載の養魚用餌料生物の培養システムにおいて、
各複合機能槽同士を互いに接続する配管には開閉弁が備えられており、これら開閉弁の開閉を切り換えることによって各複合機能槽同士の連通状態を切り換え可能に構成されていることを特徴とする養魚用餌料生物の培養システム。
【請求項４】
請求項１、２または３記載の養魚用餌料生物の培養システムにおいて、
収穫槽として機能する複合機能槽の数が複数に設定された場合に、これら収穫槽として機能する複合機能槽内に養魚用餌料生物への給餌を行う給餌装置が備えられていることを特徴とする養魚用餌料生物の培養システム。
【請求項５】
請求項１〜４のうち何れか一つに記載の養魚用餌料生物の培養システムにおいて、
培養液は海水と上水との混合水であって、
培養槽として機能する複合機能槽へ混合水を供給する給水装置を備えており、この給水装置は、混合水槽を備えていて、この混合水槽に対する所定量の海水の給水動作と、所定量の上水の給水動作とを個別に行うことにより、海水と上水との混合比率を任意に設定可能に構成されていることを特徴とする養魚用餌料生物の培養システム。
【発明の詳細な説明】
【技術分野】
【０００１】
本発明は、ワムシや浮遊珪藻類等の養魚用餌料生物を培養するシステムに関する。特に、本発明は、養魚用餌料生物の種類や環境条件の変化等に応じた最適な培養動作を行わせることが可能な培養システムを構築するための改良に関する。
【背景技術】
【０００２】
従来より、水産業の種苗生産における魚類及び甲殻類等の初期餌料として、ワムシや浮遊珪藻類等の養魚用餌料生物が一般的に用いられている。このような種苗生産を行うためには養魚用餌料生物を安定的に入手することが不可欠であり、これらの養魚用餌料生物を安定的に大量に培養する技術がこれまでに提案されている。例えば下記の特許文献１には、所謂植え継ぎ培養法を利用するシステムを自動化することによって、作業者の負担を軽減しながらも安定した養魚用餌料生物の培養を可能にする技術が開示されている。
【０００３】
−植え継ぎ培養法−
上記植え継ぎ培養法とは、養魚用餌料生物を培養している複数の植え継ぎ培養槽を互いに直列に接続しておき、所定の培養期間（例えば３日間）に達した植え継ぎ培養槽から大部分（例えば７０％程度）の養魚用餌料生物を魚類等の餌料として魚類飼育水槽に供給する。具体的には、植え継ぎ培養槽から取り出した養魚用餌料生物に対し、濃縮、洗浄、栄養強化等の処理を行った後に魚類飼育水槽に供給する。一方、上記植え継ぎ培養槽の残りの養魚用餌料生物（例えば３０％程度の養魚用餌料生物）は他の植え継ぎ培養槽（以前に所定の培養期間に達して空になった植え継ぎ培養槽）に移される。この動作を、何れか１つの植え継ぎ培養槽が所定の培養期間に達する度に繰り返していく。
【０００４】
−連続培養法−
また、養魚用餌料生物の培養方法として連続培養法も知られている。この連続培養法とは、１つの連続培養槽において養魚用餌料生物を培養するものであって、この連続培養槽に対して連続的に海水を供給する。そして、この連続培養槽からオーバフローした海水（養魚用餌料生物を含んだ海水）を収穫槽に貯留していき、この収穫槽内の貯留量が所定量に達した時点で、この収穫槽から全ての養魚用餌料生物を海水と共に取り出し、所定の処理（上記濃縮、洗浄、栄養強化等の処理）を行った後に魚類飼育水槽に供給する。
【特許文献１】特開２０００−２３５９４号公報
【発明の開示】
【発明が解決しようとする課題】
【０００５】
上述した如く、これまでの養魚用餌料生物の培養方法として代表的には植え継ぎ培養法や連続培養法が知られているが、これら培養法は以下に述べる不具合があり、これら不具合を解消できる培養システムは未だ構築されていない。
【０００６】
−植え継ぎ培養法の不具合−
（Ａ−１）  植え継ぎ培養法では、植え継ぎ培養槽での培養期間を一定（例えば３日間）に設定しておくことにより、ある一つの植え継ぎ培養槽が所定の培養期間に達した時点では、他の一つの植え継ぎ培養槽が空になっているといったサイクルを作り出し、各植え継ぎ培養槽に順に養魚用餌料生物を供給する（以下、この動作を植え継ぎ動作と呼ぶ）ことによってシステムの運転が継続できるようにしている。
【０００７】
このため、環境の変化、例えば１つの植え継ぎ培養槽内の水温が上昇したり、養魚用餌料生物の餌料となるクロレラを１つの植え継ぎ培養槽内に多量に供給してしまったりして、養魚用餌料生物の繁殖速度が急激に高くなり槽内での養魚用餌料生物の密度が急上昇した場合であっても、その植え継ぎ培養槽の培養期間が所定期間に達するまでは養魚用餌料生物を培養し続けねばならない。つまり、その植え継ぎ培養槽内では養魚用餌料生物を過密度の状態のままで培養せねばならないことになる。このような状況が長時間に亘ってしまうと、養魚用餌料生物の糞（代謝物）や死骸といった多量のフロックが槽内に堆積してしまって槽内環境を悪化させてしまう。その結果、養魚用餌料生物の生存率が悪化したり、培養ピークを越えた（生きの悪い）養魚用餌料生物が多量に収穫されてしまうといった問題が発生する。
（Ａ−２）  逆に、環境の変化によって、養魚用餌料生物の繁殖速度が急激に低くなって、所定の培養期間に達しても植え継ぎ培養槽内での養魚用餌料生物の密度が十分に得られていない場合であっても、上記サイクルを継続するために養魚用餌料生物の収穫及び植え継ぎ動作が行われてしまう。このため、この動作を繰り返すと、植え継ぎ培養槽内の希釈が進み、養魚用餌料生物の密度が極端に低くなってしまって培養動作を継続することができなくなってしまう可能性がある。
（Ａ−３）  養魚用餌料生物は、その種類によって繁殖力や寿命が大きく異なる。例えばワムシの種類としては、Ｌ型及びＳ型があり、それぞれの型においても生息地域毎に株種があり、それぞれ繁殖力や寿命が異なっている。このため、養魚用餌料生物を培養する上で最適となる培養期間がその種類によって異なる。例えば、ある種類の（例えば繁殖力の高い）養魚用餌料生物は２日間の培養が最適であり、他の種類の（例えば繁殖力の低い）養魚用餌料生物は３日間の培養が最適であるといった現状がある。このため、前者の養魚用餌料生物を植え継ぎ培養法で培養する場合と、後者の養魚用餌料生物を植え継ぎ培養法で培養する場合とでは、使用する植え継ぎ培養槽の個数が異なることになる。これまでの植え継ぎ培養システムでは、使用する植え継ぎ培養槽の個数を変化させることを前提とするものはなく、つまり、植え継ぎ培養システムに備えられている植え継ぎ培養槽の個数によって、培養可能な養魚用餌料生物の種類も限定されたものになってしまっていた。つまり、３個の植え継ぎ培養槽を備えた植え継ぎ培養システムにあっては２日間培養の養魚用餌料生物しか培養ができず、４個の植え継ぎ培養槽を備えた植え継ぎ培養システムにあっては３日間培養の養魚用餌料生物しか培養ができなかった。つまり、１つの培養システムで多種類の養魚用餌料生物に対応することはできなかった。
（Ａ−４）  植え継ぎ培養法では、複数の植え継ぎ培養槽を互いに直列に接続しているため、何れか一つの植え継ぎ培養槽に有毒な物質が混入してしまうと、植え継ぎ動作に伴って、その有毒物質が全ての継ぎ培養槽に混入してしまうことになり、システム内の養魚用餌料生物が全滅してしまう虞があった。また、複数の植え継ぎ培養槽のうち１つでも故障している場合には、植え継ぎ動作を連続的に行わせることが不可能になり、この故障した植え継ぎ培養槽を補修している間に、他の植え継ぎ培養槽では培養期間が長期化してしまって、槽内環境を悪化させてしまうことになり、この場合にも、結果的にシステム内の養魚用餌料生物を全滅させてしまう可能性がある。これを回避するために、複数の植え継ぎ培養槽を互いに直列に接続して成る植え継ぎ系統をそれぞれ独立して複数系統備えさせ、各系統間では植え継ぎ動作を行わないようにすることが考えられる。つまり、一つの系統で養魚用餌料生物が全滅しても他の系統では養魚用餌料生物を生存させることができるようにするものである。しかしこれでは、植え継ぎ系統を２系統にするだけでも、必要な植え継ぎ培養槽の数は従来の２倍（例えば８個必要）になってしまい、多数の植え継ぎ培養槽が必要になるため、システム構成の複雑化、制御動作の煩雑化、建設費の高騰を招いてしまい好ましくない。
【０００８】
−連続培養法の不具合−
（Ｂ−１）  連続培養法において、養魚用餌料生物の繁殖速度が急激に高くなって連続培養槽内での養魚用餌料生物の密度が急上昇した場合の対策としては、連続培養槽内への海水の供給量を増加させて密度の適正化を図ることが考えられる。しかし、この場合、収穫槽に対しても単位時間当たりに多量の海水（養魚用餌料生物を含んだ海水）が供給されることになる。一般に、この収穫槽の容量は、培養システムの能力に応じて予め設定されている。例えば１日に１０トンの海水を収穫するシステムにあっては、この収穫槽の容量も１０トンの海水が貯留できる程度に設定されている。従って、上述した如く養魚用餌料生物の密度の適正化を図るために連続培養槽内への海水の供給量を増加させた場合には、収穫槽の容量が不足してしまい、場合によっては収穫槽から海水が溢れ出してしまうこともある。これを回避するために、収穫槽を予め大型に設計しておくことが考えられるが、これではシステムの大型化や建設費の高騰を招いてしまうため好ましくない。
（Ｂ−２）  また、連続培養法は、連続培養槽を一つしか備えていないために、その連続培養槽に有毒な物質が混入してしまうと、直ちに養魚用餌料生物が全滅してしまう虞があった。また、収穫槽も一つしか備えていないため、連続培養槽または収穫槽の何れか一方でも故障してしまうと、システム運転が不可能になる。例えば、連続培養槽が故障した場合には、槽内の海水を全て抜き取って補修せねばならないため、養魚用餌料生物を全滅させてしまう可能性がある。一方、収穫槽が故障した場合には、連続培養槽に海水を供給することができないので、槽内での培養期間が長期化してしまって、槽内環境を悪化させてしまうことになり、フロックの大量発生に伴って、結果的にシステム内の養魚用餌料生物を全滅させてしまう可能性がある。
【０００９】
本発明は、かかる点に鑑みてなされたものであり、その目的とするところは、上述した植え継ぎ培養法の不具合及び連続培養法の不具合を共に解消し、養魚用餌料生物の種類や環境条件の変化等に応じた最適な培養動作を行わせることが可能な養魚用餌料生物の培養システムを提供することにある。
【課題を解決するための手段】
【００１０】
−発明の概要−
上記の目的を達成するために講じられた本発明の解決手段は、複数の槽によって培養システムを構成すると共に、培養槽としての機能及び収穫槽としての機能を各槽に兼ね備えさせる。そして、これら槽の接続状態を任意に切り換え可能に構成しておき、培養槽として機能する槽の個数、収穫槽として機能する槽の個数、それらの接続関係を、養魚用餌料生物の種類や環境条件の変化等に応じて任意に設定できるようにしている。
【００１１】
−解決手段−
具体的に、本発明は、養魚用餌料生物を培養するシステムを前提とする。この培養システムに対し、培養槽としての機能及び収穫槽としての機能を兼ね備えた３個以上の複合機能槽を互いに配管接続し、これら配管による各複合機能槽同士の連通状態を切り換えることによって、培養槽として機能する複合機能槽の数と収穫槽として機能する複合機能槽の数とを任意に切り換え可能に構成する。そして、上記培養槽として機能する複合機能槽に培養液を導入しつつ、この複合機能槽から排出された養魚用餌料生物を含む培養液を、収穫槽として機能する複合機能槽に収穫していく構成としている。
【００１２】
また、上記の目的を達成するための他の解決手段としては以下の構成が掲げられる。先ず、養魚用餌料生物を培養するシステムを前提とする。この培養システムに対し、培養槽としての機能及び収穫槽としての機能を兼ね備えた４個以上の複合機能槽を互いに配管接続し、これら配管による各複合機能槽同士の連通状態を切り換えることによって、培養槽として機能する複合機能槽の数よりも収穫槽として機能する複合機能槽の数を多くする第１の複合機能槽使用形態と、培養槽として機能する複合機能槽の数よりも収穫槽として機能する複合機能槽の数を少なくする第２の複合機能槽使用形態とを任意に切り換え可能に構成する。そして、上記培養槽として機能する複合機能槽に培養液を導入しつつ、この複合機能槽から排出された養魚用餌料生物を含む培養液を、収穫槽として機能する複合機能槽に収穫していく構成としている。
【００１３】
ここで言う「培養槽としての機能」を備えるための構成としては、培養液の導入が可能に構成されていること、養魚用餌料生物に餌料（例えばクロレラ等）が供給可能に構成されていること、培養に必要な空気や酸素の導入が可能に構成されていること、培養液の温度管理が可能な構成となっていること、他の槽（収穫槽）に対して養魚用餌料生物を培養液と共に排出可能な構成となっていることなどが掲げられる。一方、「収穫槽としての機能」を備えるための構成としては、他の槽（培養槽）から養魚用餌料生物を培養液と共に導入可能な構成となっていること、収穫した養魚用餌料生物を生存させるために必要な空気や酸素の導入が可能に構成されていることまた培養液の温度管理が可能な構成となっていること、収穫量が所定量に達した後、養魚用餌料生物を培養液と共に後工程（濃縮、洗浄、栄養強化等の工程）に排出可能な構成となっていることなどが掲げられる。
【００１４】
以上の特定事項により、本解決手段によれば、培養槽の個数（培養槽として機能する槽の個数）、収穫槽の個数（収穫槽として機能する槽の個数）、それらの接続関係を、養魚用餌料生物の種類や環境条件の変化等に応じて任意に設定可能になる。言い換えると、システム全体としての培養槽の容量と収穫槽の容量とを任意に設定することができる。本システムの使用形態としては、上述した第１の複合機能槽使用形態（培養槽として機能する複合機能槽の数よりも収穫槽として機能する複合機能槽の数を多くする形態）、第２の複合機能槽使用形態（培養槽として機能する複合機能槽の数よりも収穫槽として機能する複合機能槽の数を少なくする形態）、その他、第３の複合機能槽使用形態として、培養槽として機能する複合機能槽の数と収穫槽として機能する複合機能槽の数を一致させる形態を適用することが可能である。
【００１５】
上記第１の複合機能槽使用形態は、例えば、養魚用餌料生物の繁殖速度が高くなる環境条件である場合や繁殖力の高い養魚用餌料生物を培養する場合などに使用することになる。つまり、養魚用餌料生物の繁殖速度が急激に高くなり培養槽内での養魚用餌料生物の密度が急上昇し、その密度の適正化を図るべく培養液の供給量を多く設定した場合であっても、収穫槽の数を多くしてその全体としての容量を大きく確保しておくことにより、収穫槽から混合水が溢れ出してしまうといった状況を回避することができる。
【００１６】
また、上記第２の複合機能槽使用形態は、例えば、養魚用餌料生物の繁殖速度が低くなる環境条件である場合や繁殖力の低い養魚用餌料生物を培養する場合などに使用することになる。つまり、養魚用餌料生物の繁殖速度が急激に低くなり、培養槽内での養魚用餌料生物の密度を維持するためには供給水量を低く抑えねばならない状況であっても、この培養槽の個数を多くすることで収穫量を高く維持することが可能になり、システムの生産性を高く維持することができる。
【００１７】
また、本解決手段によれば、上記第３の複合機能槽使用形態（培養槽として機能する複合機能槽の数と収穫槽として機能する複合機能槽の数を一致させる形態）で培養・収穫動作を行っている場合に、複合機能槽の故障や有毒物質の混入があった場合にも迅速に対応できる。つまり、例えば収穫槽として使用している一つの複合機能槽が故障した場合にはその槽を収穫槽として使用することができなくなる。このような状況では、それまで、この収穫槽（収穫槽として機能していた複合機能槽）に連通していた培養槽（培養槽として機能している複合機能槽）を他の複合機能槽（収穫槽として機能している複合機能槽または、それまで機能していなかった複合機能槽）に連通させる。これにより、一つの収穫槽が故障した後であっても培養槽での培養動作及びその収穫動作を継続して行うことが可能になる。従来では、このような故障が発生した場合、故障した槽を補修している間に、培養槽での培養期間が長期化してしまって、槽内環境を悪化させてしまい、養魚用餌料生物を全滅させてしまう可能性があった。本解決手段によれば、故障した槽を他の槽で迅速に代用することが可能であり、収穫効率の維持を図ることができる。尚、この動作は、収穫槽として使用していた複合機能槽に有毒な物質が混入してしまった場合にも同様に適用できる。更には、培養槽として使用していた複合機能槽に故障が発生したり有毒物質が混入した場合についても対応可能である。
【００１８】
配管による各複合機能槽同士の連通状態を切り換える構成として具体的には以下のものが掲げられる。つまり、各複合機能槽同士を互いに接続する配管に開閉弁を備えさせ、これら開閉弁の開閉を切り換えることによって各複合機能槽同士の連通状態を切り換え可能な構成としている。
【００１９】
この特定事項によれば、開閉弁の切り換え動作のみで、各複合機能槽同士の連通状態が切り換わり、上記各複合機能槽使用形態の切り換え動作の自動化を容易に実現することができる。例えば、養魚用餌料生物の種類や環境条件（温度等）をシステムの制御系に入力することで、これら条件に最適な各槽の数（培養槽の数と収穫槽の数）や各槽の連通状態を自動的に設定することが可能になり、作業者の作業負担の軽減を図ることができる。
【００２０】
また、本発明は収穫槽として機能している複合機能槽内においても養魚用餌料生物の培養を促進できるようにしている。つまり、収穫槽として機能する複合機能槽の数が複数に設定された場合に、これら収穫槽として機能する複合機能槽内に養魚用餌料生物への給餌を行う給餌装置を備えさせている。例えば、培養槽を１つとし、収穫槽を２つとして培養・収穫動作を行っている場合には、培養槽から排出される養魚用餌料生物を各収穫槽へ２分割することになるので、各収穫槽では養魚用餌料生物の密度が十分に得られず収穫量不足を招く可能性がある。これを回避するべく、本解決手段では、給餌装置によって収穫槽内に給餌を行い、この収穫槽内での養魚用餌料生物の繁殖を促進させ、個々の収穫槽での養魚用餌料生物の密度を十分に得て必要収穫量を確保できるようにしている。
【００２１】
また、培養槽として機能する複合機能槽へ供給する培養液を生成するための構成としては以下のものが掲げられる。つまり、培養液を海水と上水との混合水とし、培養槽として機能する複合機能槽へ混合水を供給する給水装置を備えさせ、この給水装置に混合水槽を備えさせる。そして、この混合水槽に対する所定量の海水の給水動作と、所定量の上水の給水動作とを個別に行うことにより、海水と上水との混合比率が任意に設定可能な構成としている。
【００２２】
このように、海水供給動作と上水供給動作とを個別に行い、各動作の水位を管理することで所望の濃度（塩分濃度）の混合水（培養液）を得ることができ、簡単な構成及び混合動作で正確に所望の濃度の混合水を得ることができ、養魚用餌料生物の培養に適した混合水の生成が簡易になる。
【発明の効果】
【００２３】
本発明では、複数の槽によって培養システムを構成すると共に、培養槽としての機能及び収穫槽としての機能を各槽に兼ね備えさせる。そして、これら槽の接続状態を任意に切り換え可能に構成しておき、培養槽として機能する槽の個数、収穫槽として機能する槽の個数、それらの接続関係を、養魚用餌料生物の種類や環境条件の変化等に応じて任意に設定できるようにしている。つまり、培養槽の個数と収穫槽の個数とを、１対１、複数対１、１対複数、複数対複数といったように任意の組み合わせを可能にしている。このため、培養槽の個数（培養槽として機能する槽の個数）、収穫槽の個数（収穫槽として機能する槽の個数）、それらの接続関係を、養魚用餌料生物の種類や環境条件の変化等に応じて設定可能になり、従来の植え継ぎ培養法や連続培養法では実現できなかった培養法を実現することができ、従来の培養法の不具合を解消可能となる新たな培養システムを提供することができる。
【発明を実施するための最良の形態】
【００２４】
以下、本発明の実施の形態を図面に基づいて説明する。本形態では、養魚用餌料生物としてのワムシを培養するシステムに本発明を適用した場合について説明する。
【００２５】
図１は、本形態に係る培養システムの配管系統図である。図２は、１つの複合機能槽１１の内部構成を示す概略図であり、図３は、１つの濃縮洗浄槽２の内部構成を示す概略図であり、図４は、１つの栄養強化槽３の内部構成を示す概略図である。
【００２６】
図１に示すように、本培養システムは、４個の槽１１，１２，１３，１４（本発明でいう複合機能槽）で成る槽ユニット１、２個の濃縮洗浄槽２，２、２個の栄養強化槽３，３、回収器４、４個の魚類飼育水槽５，５，…、混合水槽６、洗浄水槽７を備えている。また、海水供給系統Ａ、上水供給系統Ｂ、圧縮空気供給系統Ｃ、濃縮酸素供給系Ｄを備えている。以下、各部について説明する。
【００２７】
−ワムシ移送回路系−
上記槽ユニット１は、本システムの特徴とする部分であって、第１〜第４の４個の複合機能槽１１〜１４が互いに配管接続されて構成されている。
【００２８】
この配管接続構造として具体的には、第１複合機能槽１１と第２複合機能槽１２とを接続する１−２配管１ａ、第３複合機能槽１３と第４複合機能槽１４とを接続する３−４配管１ｂ、第１複合機能槽１１と第３複合機能槽１３とを接続する１−３配管１ｃ、第２複合機能槽１２と第４複合機能槽１４とを接続する２−４配管１ｄ、第１複合機能槽１１と第４複合機能槽１４とを接続する１−４配管１ｅ、第２複合機能槽１２と第３複合機能槽１３とを接続する２−３配管１ｆを備えている。つまり、各複合機能槽１１，１２，１３，１４がマトリックス接続されて槽ユニット１が構成されている。また、各配管１ａ〜１ｆにはそれぞれ２個の開閉弁としての電動弁が備えられており、これら電動弁の開閉状態を切り換えることによって、任意の複合機能槽同士を連通させることができるようになっている。
【００２９】
例えば、１−２配管１ａ及び３−４配管１ｂにそれぞれ備えられている各電動弁のみを開放すれば、第１複合機能槽１１と第２複合機能槽１２とが連通すると共に、第３複合機能槽１３と第４複合機能槽１４とが連通することになる。また、１−２配管１ａ、１−３配管１ｃ、１−４配管１ｅにそれぞれ備えられている各電動弁のみを開放すれば、第１複合機能槽１１に対して、第２複合機能槽１２、第３複合機能槽１３、第４複合機能槽１４が連通することになる。つまり、一つの複合機能槽１１に対して３つの複合機能槽１２，１３，１４が連通することになる。
【００３０】
尚、同一配管上に備えられた電動弁のうち一方は二方弁であり他方は三方弁である。この三方弁の一つの開口はドレン管が接続されている。
【００３１】
また、各複合機能槽１１，１２，１３，１４の内部には、この槽内を２つの空間に仕切る仕切部材１５が設けられており、この仕切部材１５によって複合機能槽の内部は、槽内空間の大部分を占めるメイン空間１Ａと小空間で成るオーバフロー空間１Ｂとに仕切られている。上記各配管１ａ〜１ｆは、この仕切部材１５によって仕切られたオーバフロー空間１Ｂに連通している。
【００３２】
また、図２にも示すように、各複合機能槽１１〜１４には、クロレラ貯留槽８が隣接して設置されており、このクロレラ貯留槽８内のクロレラがクロレラ給餌ポンプ８１によってクロレラ給餌管８２を通じて複合機能槽１１〜１４内に給餌されるようになっている。これらクロレラ貯留槽８、クロレラ給餌ポンプ８１及びクロレラ給餌管８２によって本発明知でいう給餌装置が構成されている。
【００３３】
更に、複合機能槽１１〜１４内には温度センサ１７及びヒータ１８が設けられており、複合機能槽１１〜１４内の培養液（海水と上水との混合水）の温度を、培養に適した温度で一定に保持するように構成している。更に、複合機能槽１１〜１４の上部には超音波水位計１９が設けられており、これによって複合機能槽１１〜１４内の培養液の水位を検出できるようになっている。
【００３４】
また、各複合機能槽１１〜１４には養魚用餌料生物（ワムシ）の密度を計測する図示しない密度計測装置が配設されている。本システムには、システム全体を統括的に制御するための制御盤１０が備えられており、この制御盤１０には演算装置が具備されている。この演算装置により、上記超音波水位計１９で検出した水位から槽内水量を算定し、上記密度計測装置、又は、顕微鏡で計測した培養液の密度で乗することにより、複合機能槽１１〜１４内に貯留されている培養餌料生物の固体数を算出できる構成となっている。尚、槽内水量を算出するための手段として、槽内底部に圧力計を取り付けてもよい。
【００３５】
そして、算出されたワムシ量のデータに基づいて、ワムシの餌料となるクロレラ（必要に応じてパン酵母が併用される）の複合機能槽１１〜１４内への供給量を決定したり、複合機能槽１１〜１４内のワムシを濃縮洗浄水槽２へ移送する際の培養液の移送タイミングを決定したりして、これらの作業を自動実行するように構成している。
【００３６】
尚、培養状況や給餌条件等に応じて、圧縮空気供給系Ｃから複合機能槽１１〜１４内への圧縮空気の供給動作、濃縮酸素供給系Ｄから複合機能槽１１〜１４内への濃縮酸素の供給動作、培養液の液温を調整する各ヒータのＯＮ／ＯＦＦ動作、海水供給系Ａから複合機能槽１１〜１４への加温海水の供給動作、上水供給系Ｂから複合機能槽１１〜１４への加温上水の供給動作、洗浄水槽７へ洗浄用水を供給する洗浄用水供給動作、及び、複合機能槽１１〜１４内に貯留された水の排水タイミング等の各種制御動作が適宜作動するよう制御盤１０により自動制御される。また、この複合機能槽１１〜１４における培養工程の自動制御は、栄養強化槽３等の各水槽においても同様に適用することができる。
【００３７】
従来の培養工程においては、作業者自らが、各槽の水位を目視にて確認して培養液の容積を算出し、培養液密度の計測結果に基づいて槽内のワムシ量を試算していたため、これらの算出や試算に長時間を要し、算出データに誤差が発生することも多かった。従って、クロレラの槽内への供給量やワムシの濃縮洗浄槽への移送量を適切に決定することが困難であった。また、このように算出・決定した培養状況等に基づいて、培養液の水温調節や槽への給水や槽の洗浄等の作業を作業者自身が行っていたので、これらの周辺機器を誤操作する恐れがあった。
【００３８】
本実施形態に係るシステムでは、クロレラの複合機能槽１１〜１４内への供給量やワムシの濃縮洗浄槽２への移送タイミングを適切に決定することができ、また、複合機能槽１１〜１４内のワムシ量の算出や、クロレラの供給量及びワムシの移送タイミングの決定を行う際に生じる、作業の待ち時間を大幅に短縮することが可能となる。また、培養状況等に基づいて行う、培養液の水温調節や複合機能槽１１〜１４への給水や複合機能槽１１〜１４の洗浄等の作業は制御盤１０により自動制御されているので、人手がかからず、且つ、ばらつきが少なくて誤操作なく正確に実行することができる。例えば、従来の作業者自らが算出・決定を行うとともに、周辺機器の操作を行っていた場合に要していた待ち時間や作業時間は、計数作業を除いて五時間程度であったのが、本例のように自動化した場合には待ち時間及び作業時間を殆どゼロとすることが可能となる。
【００３９】
一方、各複合機能槽１１，１２，１３，１４の底部には収穫管１ｇ，１ｈ，１ｉ，１ｊがそれぞれ接続されている。この収穫管１ｇ〜１ｊは、槽内空間のメイン空間１Ａに連通している。また、各収穫管１ｇ〜１ｊには二方弁で成る電動弁が設けられており、この電動弁を開放することによって、その複合機能槽１１〜１４から培養液と共にワムシを回収できるようになっている。
【００４０】
そして、図１に示すように、上記各収穫管１ｇ〜１ｊの下流端は１本の合流管１６に接続されており、この合流管１６がワムシ移送ポンプＰ１及び第１供給管２１を介して各濃縮洗浄槽２，２に接続されている。合流管１６及び第１供給管２１の下流側の各分岐管には電動弁がそれぞれ設けられており、これら各電動弁が開放され且つワムシ移送ポンプＰ１が駆動することにより、何れかの収穫管１ｇ〜１ｊ、合流管１６、第１供給管２１を経たワムシが培養液と共に各濃縮洗浄槽２，２に供給されるようになっている。
【００４１】
上記合流管１６と各栄養強化槽３，３とは第２供給管３１により接続されている。第２供給管３１及びその下流側の各分岐管には電動弁がそれぞれ設けられており、上記第１供給管２１の各電動弁及び第２供給管３１の各電動弁が開放され且つワムシ移送ポンプＰ１が逆回転駆動することにより、各濃縮洗浄槽２，２で濃縮洗浄されたワムシが第１供給管２１及び第２供給管３１を経て各栄養強化槽３，３に供給されるようになっている。
【００４２】
各栄養強化槽３，３と回収器４とはワムシ給餌ポンプＰ２を備えた第３供給管４１により接続されている。第３供給管４１の上流側の各分岐管には電動弁が設けられており、この第３供給管４１の各電動弁が開放され且つワムシ給餌ポンプＰ２が駆動することにより、各栄養強化槽３，３で栄養強化されたワムシが回収器４に回収されるようになっている。
【００４３】
そして、回収器４に回収されたワムシは、作業者の手作業等によって給餌容器４２に一旦移された後、各魚類飼育水槽５，５，…に供給され、このワムシが養魚用餌料として提供される。
【００４４】
このように、槽ユニット１の特定の複合機能槽から培養液と共に抜き取られたワムシが（この槽ユニット１におけるワムシの培養動作及び収穫動作については後述する）、濃縮洗浄槽２，２内で濃縮及び洗浄され、栄養強化水槽３，３において濃縮クロレラや栄養が与えられて栄養強化（更なる培養）された後、回収器４及び給餌容器４２を経て各魚類飼育水槽５，５，…内の魚類へ給餌されるようになっている。
【００４５】
上記濃縮洗浄槽２について以下に詳述する。図３に示すように、濃縮洗浄槽２の内部には、養魚用餌料生物であるワムシは通過せず培養液（海水と上水との混合水）や汚物等は通過可能に構成した濃縮ネット２２を配設して二重構造としており、この濃縮ネット２２内へ、複合機能槽１１〜１４で培養されたワムシが培養液とともに第１供給管２１を通じて供給されると、同時に濃縮ネット２２内のワムシを洗浄するための、精密濾過を行った混合水が混合水供給管６３から供給され、上水供給系Ｂの上水供給配管Ｂ２から上水が供給される。濃縮ネット２２内へワムシ、混合水及び上水が供給されると、濃縮ネット２２に備えられた図示しない揺動機構によって濃縮ネット２２の揺動動作が行われる。これにより、濃縮ネット２２内に供給された培養液等は濃縮ネット２２を通過して、濃縮洗浄槽２のオーバフロー管２３から外部へ流出する。一方、ワムシは濃縮ネット２２を通過しないので、濃縮ネット２２内にとどまり貯留されていき、濃縮ネット２２内での密度が上昇して濃縮される。また、濃縮ネット２２内に供給された培養液等が外部へ流出していく過程で濃縮ネット２２に貯留されているワムシが洗浄される。更に、濃縮ネット２２が揺動されることによりワムシの洗浄効果が向上されている。また、濃縮・洗浄作業中に、濃縮ネット２２内へ混合水や上水を供給することにより、これらに溶存している酸素や大気中の空気が培養液中に供給されることとなるので、濃縮ネット２２内のワムシが濃縮されて高密度になっても培養液が酸素不足に陥ることはない。
【００４６】
このように、濃縮洗浄槽２においてはワムシの濃縮・洗浄作業を行っているが、濃縮ネット２２内のワムシが濃縮ネット２２の目に詰まって培養液等が濃縮ネット２２を通過しなくなる場合がある。この場合には、連続的に供給されている培養液等は、濃縮ネット２２内のワムシとともに濃縮ネット２２の上端から溢れ出ることとなるので、濃縮ネット２２に目詰まりが発生した場合には培養液等の供給を一時的に停止する必要がある。そこで、濃縮ネット２２の上方に超音波水位計２４を配置して濃縮ネット２２内の水位を検出し、水位が上昇してきた場合には濃縮ネット２２に目詰まりが発生したと判断して培養液等の供給を停止するように構成している。そして、その後、水位が低下すると、第１供給管２１からのワムシの供給及び混合水や上水の供給が再開され、濃縮・洗浄作業を継続する。この場合、水位計２４は、超音波を水面へ発して水面までの距離を計測することで水位を検出する超音波式水位計で構成しているため、水面とは非接触であり、また、濃縮ネット２２の上方に設置しているので、水面に泡が発生した場合でも感度を調節することで正確な水位を検出することが可能となっている。これにより、フロート式の水位計や棒状の水位計を用いて水位を検出した場合のように水位計に泡が付着して水位を誤検出したり濃縮洗浄槽２を洗浄する際に邪魔になったりするといったことを防止できる。
【００４７】
そして、濃縮洗浄槽２での濃縮・洗浄作業が終了すると、濃縮ネット２２内に混合水を供給し、濃縮ネット２２内の高密度のワムシを希釈して流動性を高めながらワムシ移送ポンプＰ１を逆回転駆動させて、濃縮ネット２２内のワムシを吸引して、第２供給管３１により栄養強化槽３へ移送し、次工程の作業を行うように構成されている。
【００４８】
以上の如く、濃縮洗浄槽２で濃縮作業を行う際に、精密濾過を行った混合水を濃縮洗浄槽２内へ供給することにより、濃縮作業と同時にワムシを充分に洗浄することができ、次工程である栄養強化槽３での汚染や栄養強化不足を解消することができる。また、混合水を連続的に供給することで、濃縮中の培養液には常に新鮮な酸素が供給されることとなり、濃縮されて高密度化したワムシが酸素不足に陥ることを防止できる。さらに、濃縮洗浄したワムシの次工程への移送も、混合水を供給して濃度を希釈しながら行うため、移送中のワムシの酸素不足を解消すると共に、移送時にワムシが受ける物理的ダメージを減少させることができる。これにより、移送中に死亡するワムシの数が大幅に減少するため、収穫効率の向上を図ることができる。
【００４９】
次に、上記栄養強化槽３について詳述する。図４に示すように、栄養強化槽３は、海水供給配管Ａ２により加温海水を供給可能とし、洗浄水槽７から洗浄用水を供給可能となっており、クロレラ給餌管８２を通じてクロレラ貯留槽８からクロレラを給餌し、栄養強化管３２により栄養物を供給するように構成されている。また、濃縮酸素供給系Ｄの濃縮酸素供給配管Ｄ２により濃縮酸素を供給するとともに、圧縮空気供給系Ｃの圧縮空気供給配管Ｃ２により圧縮空気を供給して、栄養強化を行いながら培養するワムシが高密度化しても酸素不足とならないようにしている。さらに、この栄養強化槽３内にも温度センサ３３及びヒータ３４が設けられており、栄養強化槽３内の培養液の温度を、栄養強化に適した温度で一定に保持するように構成している。また、超音波水位計により水面高さを検出して水位の管理が行われている。
【００５０】
−海水・上水供給系−
次に、海水供給系統Ａについて説明する。この海水供給系統Ａは、海水貯留槽Ａ１に貯留された海水を、混合水槽６や各複合機能槽１１〜１４や栄養強化槽３，３に供給するものである。ここで各複合機能槽１１〜１４や栄養強化槽３，３への海水の供給は必要に応じて行われる。
【００５１】
海水供給系統Ａは、上流端が海水貯留槽Ａ１に接続され且つ海水供給ポンプＰ３を備えた海水供給配管Ａ２を有している。図１では、海水の流路を「ＨＳＨ」で示している。この海水供給配管Ａ２には、図示しない熱源からの熱を受ける熱交換器Ａ３が備えられており、この熱交換器Ａ３によって海水を加温するようになっている。また、この海水供給配管Ａ２の下流端は分岐され、その一つは精密濾過フィルタ６１を介して混合水槽６に接続されており、その他は、各複合機能槽１１〜１４及び栄養強化槽３，３の上部で開放されている。各複合機能槽１１〜１４及び栄養強化槽３，３に向かって延びる各分岐管には電動弁が備えられており、この電動弁が開放され且つ海水供給ポンプＰ３が駆動することにより、海水貯留槽Ａ１から取り出されて加温された海水が各複合機能槽１１〜１４や栄養強化槽３，３に供給可能となっている。
【００５２】
上水供給系統Ｂは、上水（水道水）貯留槽Ｂ１に貯留された上水を、混合水槽６や各複合機能槽１１〜１４に供給するものである。ここで各複合機能槽１１〜１４への上水の供給は必要に応じて行われる。
【００５３】
上水供給系統Ｂは、上流端が上水貯留槽Ｂ１に接続され且つ上水供給ポンプＰ４を備えた上水供給配管Ｂ２を有している。図１では、上水の流路を「ＨＷ」で示している。この上水供給配管Ｂ２にも、図示しない熱源からの熱を受ける熱交換器Ｂ３が備えられており、この熱交換器Ｂ３によって上水を加温するようになっている。また、この上水供給配管Ｂ２の下流端は分岐され、その一つは混合水槽６に接続されており、その他は、各複合機能槽１１〜１４の上部で開放されている。各複合機能槽１１〜１４に向かって延びる各分岐管には電動弁が備えられており、この電動弁が開放され且つ上水供給ポンプＰ４が駆動することにより、上水貯留槽Ｂ１から取り出されて加温された上水が各複合機能槽１１〜１４に供給可能となっている。
【００５４】
上記混合水槽６は、上述した如く海水供給配管Ａ２からの海水及び上水供給配管Ｂ２からの上水を共に受け、これらを混合した後に各複合機能槽１１〜１４に供給するものである。
【００５５】
この混合水槽６における海水及び上水の混合動作としては、先ず、海水供給配管Ａ２において各複合機能槽１１〜１４及び栄養強化槽３，３に向かって延びる各分岐管に備えられた電動弁の全てを閉鎖した状態で海水供給ポンプＰ３を所定時間駆動し、混合水槽６内のある水位まで海水を供給する。その後、上水供給配管Ｂ２において各複合機能槽１１〜１４に向かって延びる各分岐管に備えられた電動弁の全てを閉鎖した状態で上水供給ポンプＰ４を所定時間駆動し、混合水槽６内のある水位まで上水を供給する。例えば、海水の供給水位と上水の供給水位（海水供給停止後の上昇水位）とを一致させれば、海水が５０％に希釈された混合水を得ることができる。このように、海水供給動作と上水供給動作とを個別に行い、各動作の水位を管理することで所望の濃度の混合水を得ることができる。この水位を検知するための手段としては、超音波水位計やフロートスイッチ等が掲げられる。また、混合水槽６には図示しない温度センサ及びヒータが備えられており、混合水の温度を調整できるようになっている。
【００５６】
このようにして濃度調整された混合水を各複合機能槽１１〜１４に供給するための構成について以下に述べる。上記混合水槽６には一対の給水ポンプＰ５，Ｐ５が備えられており、これら給水ポンプＰ５，Ｐ５により汲み上げられた混合水が合流ヘッダ６２で合流されるようになっている。この合流ヘッダ６２と各複合機能槽１１〜１４とは混合水供給管６３，６３，…によって接続され、これら混合水供給管６３，６３，…の下流端は複合機能槽１１〜１４の上部で開放されている。更に、各混合水供給管６３，６３，…には流量制御弁６４，６４，…及び流量計６５，６５，…が備えられており、この流量計６５，６５，…によって個々の混合水供給管６３，６３，…における混合水供給量を検出しながら流量制御弁６４，６４，…を制御して、各複合機能槽１１〜１４に対する混合水の供給量を個別に制御できるようになっている。これにより、本発明でいう給水装置が構成されている。
【００５７】
−圧縮空気供給系統Ｃ−
次に、圧縮空気供給系統Ｃについて説明する。この圧縮空気供給系統Ｃは、コンプレッサＣ１及び圧縮空気供給配管Ｃ２を有している。図１では、圧縮空気の供給経路を「ＡＥＬ」で示している。この圧縮空気供給配管Ｃ２の下流端は分岐され、各複合機能槽１１〜１４、濃度洗浄槽２，２及び栄養強化槽３，３の内部に備えられた散気管に接続されている。また、これら各複合機能槽１１〜１４、濃度洗浄槽２，２及び栄養強化槽３，３に向かって延びる各分岐管には電動弁が備えられており、この電動弁が開放され且つコンプレッサＣ１が駆動することにより、各複合機能槽１１〜１４、濃度洗浄槽２，２及び栄養強化槽３，３に圧縮空気が供給されるようになっている。
【００５８】
−濃縮酸素供給系Ｄ−
次に、濃縮酸素供給系Ｄについて説明する。この濃縮酸素供給系Ｄは、上流端が濃縮酸素供給機Ｄ１に接続された濃縮酸素供給配管Ｄ２を有している。図１では、濃縮酸素の供給経路を「Ｏ2」で示している。この濃縮酸素供給配管Ｄ２は、供給ヘッダＤ３を備えており、この供給ヘッダＤ３から各複合機能槽１１〜１４及び栄養強化槽３，３に向かって複数本の分岐管が延びている。また、これら分岐管には電動弁が備えられており、この電動弁が開放されることにより、各複合機能槽１１〜１４及び栄養強化槽３，３に濃縮酸素が供給されるようになっている。これにより、培養するワムシが高密度化しても複合機能槽１１〜１４や栄養強化槽３，３の内部が酸素不足にならないようにしている。
【００５９】
−洗浄水槽７−
上記洗浄水槽７には、後述するフロック除去マット７１や複合機能槽１１〜１４や栄養強化槽３を洗浄する際に使用する洗浄液が貯留されている。
【００６０】
各複合機能槽１１〜１４では、培養液中に、ワムシの死骸や排泄物等のゴミや汚れで構成されたフロックが浮遊するため、複合機能槽１１〜１４内に綿等の繊維質の素材で弾性体に構成したフロック除去マット７１を浸漬して、フロックをこのフロック除去マット７１に吸着させて除去するようになっている。そして、複合機能槽１１〜１４内のフロックを吸着して汚れたフロック除去マット７１は、フロック除去マット洗浄機７２で洗浄されることになるが、この際、洗浄水槽７からフロック除去マット洗浄機７２に洗浄水配管７３を経て供給される洗浄液によってフロック除去マット７１が洗浄されることになる。尚、この洗浄水配管７３には洗浄水ポンプ７４が備えられている。
【００６１】
また、複合機能槽１１〜１４及び栄養強化槽３，３には図示しない洗浄装置が付設されており、ワムシの培養終了後に槽内が空になった状態で、洗浄装置によって槽内洗浄が行われる。この際、洗浄水槽７から洗浄装置に供給される洗浄液によって槽内が洗浄されることになる。
【００６２】
本形態では、以上のフロック除去マット７１の洗浄作業や複合機能槽１１〜１４及び栄養強化槽３，３の洗浄作業も自動実行するように制御している。このため、作業者が行う手作業に要する作業時間を大幅に削減することができる。例えば、従来であれば、手作業であった複合機能槽１１〜１４の洗浄作業に１４時間の作業時間を要していたが、本システムでは２．５時間に短縮することが可能となる。また、手作業を自動化することにより、各作業のばらつきを低減して均一化することが可能となり、ワムシを安定して培養・給餌することが可能となる。
【００６３】
−複合機能槽１１〜１４の水位設定構造−
上記複合機能槽１１〜１４には、メイン空間１Ａからオーバフロー空間１Ｂへ混合水がオーバフローする際の水位を調整するための機構が備えられている。以下、この機構について説明する。
【００６４】
図５は、複合機能槽１１を示す図である。図５（ａ）は平面図、図５（ｂ）は図５（ａ）におけるＢ−Ｂ線に沿った断面図、図５（ｃ）は図５（ａ）におけるＣ−Ｃ線に沿った断面図、図５（ｄ）は図５（ａ）におけるＤ部分の拡大図である。これら図に示すように、オーバフロー空間１Ｂは、複合機能槽１１の内壁の一部に断面が略Ｕ字形状の仕切部材１５が取り付けられ、この仕切部材１５と複合機能槽１１の内壁との間で上記オーバフロー空間１Ｂを形成している。そして、複合機能槽１１〜１４同士を連通可能とする上記各配管は、このオーバフロー空間１Ｂに臨むように複合機能槽１１の側壁に接続されている。
【００６５】
そして、この仕切部材１５の幅方向の中央部は上下方向に亘って長方形状の開口１５ａが形成されており、この開口１５ａの開口縁はコ字状に形成されており、このコ字状部分の内側が仕切堰係止部１５ｂ，１５ｂとして構成されている。この仕切堰係止部１５ｂ，１５ｂの間に上記開口１５ａの幅寸法に略一致する幅寸法を有する仕切堰１５ｃが差し込まれ、これによって開口１５ａが閉鎖されるようになっている。そして、この仕切堰１５ｃとしては長さの異なる複数種類が予め用意されており、長さ寸法の長い仕切堰１５ｃが適用された場合（図５（ｃ）の実線参照）には、堰高さが比較的高い位置に設定されるため、メイン空間１Ａからオーバフロー空間１Ｂへ混合水がオーバフローを開始する際の水位は高く設定される。つまり、メイン空間１Ａにおける貯留量が多く設定されることになる。逆に、長さ寸法の短い仕切堰１５ｃが適用された場合（図５（ｃ）の破線参照）には、堰高さが比較的低い位置に設定されるため、メイン空間１Ａからオーバフロー空間１Ｂへ混合水がオーバフローを開始する際の水位は低く設定される。つまり、メイン空間１Ａにおける貯留量が少なく設定されることになる。このように、適用する仕切堰１５ｃを差し替えるのみでメイン空間１Ａにおける貯留量を任意に設定することが可能である。この仕切堰１５ｃの差し替え動作は作業者の手作業により行われる。
【００６６】
−槽ユニット１におけるワムシの培養動作及び収穫動作−
次に、上述の如く構成された培養システムにおいて特徴とする動作である上記槽ユニット１でのワムシ培養動作及びワムシ収穫動作について説明する。この槽ユニット１でのワムシ培養動作及びワムシ収穫動作は、以下に述べるように複数のパターンがある。例えば、培養槽として機能する複合機能槽と収穫槽として機能する複合機能槽との数を一致させる第１パターン、培養槽として機能する複合機能槽よりも収穫槽として機能する複合機能槽の数を多く設定する第２パターン、培養槽として機能する複合機能槽よりも収穫槽として機能する複合機能槽の数を少なく設定する第３パターン等がある。以下に具体的に説明する。尚、以下の説明では、１０トンの培養液を貯留可能な容量として各複合機能槽１１〜１４が構成されている場合について説明する。
【００６７】
（第１パターン）
本パターンは、上述した如く、培養槽として機能する複合機能槽と収穫槽として機能する複合機能槽との数を一致させてワムシの培養及び収穫を行うものである。
【００６８】
先ず、１−２配管１ａ及び３−４配管１ｂにそれぞれ備えられている各電動弁のみを開放する。これにより、第１複合機能槽１１と第２複合機能槽１２とが連通すると共に、第３複合機能槽１３と第４複合機能槽１４とが連通することになる。この場合、上記第１複合機能槽１１及び第３複合機能槽１３が培養槽として機能する一方、第２複合機能槽１２及び第４複合機能槽１４が収穫槽として機能することになる。このため、この培養動作の開始前には、第２複合機能槽１２及び第４複合機能槽１４は空の状態となっている。
【００６９】
培養動作が開始されると、予め所定比率で混合された海水と上水との混合水が混合水槽６から混合水供給管６３を経て第１複合機能槽１１及び第３複合機能槽１３（共に培養槽）のメイン空間１Ａに単位時間当たりの供給量が一定（各槽１１，１３それぞれ１日当たり１０トンの供給量）とされて供給されていく。
【００７０】
この動作に伴ってメイン空間１Ａの水位が上昇していき仕切部材１５を越えてオーバフローした混合水（所定密度の養魚用餌料生物を含んだ混合水）は各複合機能槽１１，１３のオーバフロー空間１Ｂに流入していく。そして、第１複合機能槽１１のオーバフロー空間１Ｂに流入した混合水は１−２配管１ａを経て第２複合機能槽１２のオーバフロー空間１Ｂに流入していくことになる。このオーバフロー空間１Ｂの水位が上昇し、仕切部材１５を越えてオーバフローした混合水は第２複合機能槽１２のメイン空間１Ａに流入していく。このようにして、第１複合機能槽１１で培養されたワムシが第２複合機能槽１２に収穫されていく。同様に、第３複合機能槽１３で培養されたワムシも第４複合機能槽１４に収穫されていく。
【００７１】
そして、第２複合機能槽１２及び第４複合機能槽１４に貯留される混合水が所定の水位に達すると、これら複合機能槽１２，１４の底部に接続されている収穫管１ｈ，１ｊの電動弁が開放され且つワムシ移送ポンプＰ１が駆動することにより、第２複合機能槽１２及び第４複合機能槽１４から混合水が一気に引き抜かれて各濃縮洗浄槽２，２に供給される。
【００７２】
その後、この濃縮洗浄槽２，２での濃縮動作及び洗浄動作が行われ、栄養強化水槽３，３において濃縮クロレラや栄養が与えられて栄養強化（更なる培養）された後、回収器４及び給餌容器４２を経て各魚類飼育水槽５，５，…内の魚類へ給餌される。
【００７３】
本パターンでは、培養槽と収穫槽とで成る系統をそれぞれ独立した２系統に構成することができる。このため、何れか一つの槽に有毒な物質が混入してしまった場合であっても、その槽とは別の系統では養魚用餌料生物を生存させることができる。このため、システム内の養魚用餌料生物が全滅してしまうことが回避でき、養魚用餌料生物の生産能力をある程度まで維持することができる。
【００７４】
尚、本第１パターンでは、培養槽と収穫槽とで成る系統を２系統使用した場合について説明した。これに限らず、培養槽と収穫槽とで成る系統を１系統のみ使用する場合もある。例えば、１−２配管１ａに備えられている各電動弁のみを開放して第１複合機能槽１１と第２複合機能槽１２とを連通させた状態で上記の培養動作及び収穫動作を行わせる場合である。また、本パターンの場合、培養槽として機能する複合機能槽及び収穫槽として機能する複合機能槽は任意に選択することが可能である。例えば、一つの系統においては第２複合機能槽１２を培養槽として機能させると共に第１複合機能槽１１を収穫槽として機能させる一方、他の系統においては第４複合機能槽１４を培養槽として機能させると共に第３複合機能槽１３を収穫槽として機能させる等といった構成である。
【００７５】
（第２パターン）
本パターンは、本発明でいう「第１の複合機能槽使用形態」であって、上述した如く、培養槽として機能する複合機能槽よりも収穫槽として機能する複合機能槽の数を多く設定してワムシの培養及び収穫を行うものである。ここでは、培養槽として機能する複合機能槽を１つとし、収穫槽として機能する複合機能槽を３つとした場合について説明する。
【００７６】
先ず、１−２配管１ａ、１−３配管１ｃ、１−４配管１ｅにそれぞれ備えられている各電動弁のみを開放する。これにより、第１複合機能槽１１に対して、第２複合機能槽１２、第３複合機能槽１３、第４複合機能槽１４が連通することになる。つまり、一つの複合機能槽１１に対して３つの複合機能槽１２，１３，１４が連通することになる。この場合、上記第１複合機能槽１１が培養槽として機能する一方、第２複合機能槽１２と第３複合機能槽１３と第４複合機能槽１４とが収穫槽として機能することになる。このため、この培養動作の開始前には、第２複合機能槽１２と第３複合機能槽１３と第４複合機能槽１４とは空の状態となっている。
【００７７】
培養動作が開始されると、予め所定比率で混合された海水と上水との混合水が混合水槽６から混合水供給管６３を経て第１複合機能槽１１（培養槽）のメイン空間１Ａに単位時間当たりの供給量が一定（１日当たり３０トンの供給量）とされて供給されていく。
【００７８】
この動作に伴ってメイン空間１Ａの水位が上昇していき仕切部材１５を越えてオーバフローした混合水（所定密度の養魚用餌料生物を含んだ混合水）は第１複合機能槽１１のオーバフロー空間１Ｂに流入していく。そして、第１複合機能槽１１のオーバフロー空間１Ｂに流入した混合水は、１−２配管１ａを経て第２複合機能槽１２のオーバフロー空間１Ｂに、１−３配管１ｃを経て第３複合機能槽１３のオーバフロー空間１Ｂに、１−４配管１ｅを経て第４複合機能槽１４のオーバフロー空間１Ｂにそれぞれ流入していくことになる。これら各複合機能槽１２，１３，１４のオーバフロー空間１Ｂの水位が上昇し、仕切部材１５を越えてオーバフローした混合水は各複合機能槽１２，１３，１４のメイン空間１Ａに流入していく。このようにして、第１複合機能槽１１で培養されたワムシが第２複合機能槽１２、第３複合機能槽１３、第４複合機能槽１４に収穫されていく。
【００７９】
そして、これら第２複合機能槽１２、第３複合機能槽１３、第４複合機能槽１４に貯留される混合水が所定の水位に達すると、これら複合機能槽１２，１３，１４の底部に接続されている収穫管１ｈ，１ｉ，１ｊの電動弁が開放され且つワムシ移送ポンプＰ１が駆動することにより、第２複合機能槽１２、第３複合機能槽１３、第４複合機能槽１４から混合水が一気に引き抜かれて各濃縮洗浄槽２，２に供給される。
【００８０】
その後、この濃縮洗浄槽２，２での濃縮動作及び洗浄動作が行われ、栄養強化水槽３，３において濃縮クロレラや栄養が与えられて栄養強化（更なる培養）された後、回収器４及び給餌容器４２を経て各魚類飼育水槽５，５，…内の魚類へ給餌される。
【００８１】
本パターンでは、第１複合機能槽１１に対する混合水の単位時間当たりの給水量を多く設定してもこれらを３つの複合機能槽１２，１３，１４で吸収することができる（第１複合機能槽１１に１日当たり３０トンの培養液を供給しても、３つの複合機能槽１２，１３，１４のそれぞれには１日当たり１０トンの培養液しか貯留しない）。このため、養魚用餌料生物の繁殖速度が急激に高くなり第１複合機能槽１１内での養魚用餌料生物の密度が急上昇した場合に、その密度の適正化を図るべく混合水の給水量を多く設定した場合であっても、収穫槽から混合水が溢れ出してしまうといった状況を回避することができ、システムの信頼性の向上を図ることができる。
【００８２】
また、繁殖力の高いワムシを培養する際に、密度の適正化を図るべく混合水の給水量を多く設定した場合にも、収穫槽から混合水が溢れ出してしまうといった状況を回避することができる。
【００８３】
尚、本第２パターンでは、培養槽として機能する複合機能槽を１つとし、収穫槽として機能する複合機能槽を３つとした場合について説明した。これに限らず、培養槽として機能する複合機能槽を１つとし、収穫槽として機能する複合機能槽を２つとしてシステムを構成することも可能である。例えば、１−２配管１ａ、１−３配管１ｃにそれぞれ備えられている各電動弁のみを開放する。これにより、第１複合機能槽１１に対して、第２複合機能槽１２、第３複合機能槽１３のみが連通することになり、一つの複合機能槽１１に対して２つの複合機能槽１２，１３が連通したシステム構成を実現できる。
【００８４】
また、本パターンにおいても、培養槽として機能する複合機能槽及び収穫槽として機能する複合機能槽は任意に選択することが可能である。例えば、上記第２複合機能槽１２を培養槽として機能させる一方、第１複合機能槽１１と第３複合機能槽１３と第４複合機能槽１４とを収穫槽として機能させる等といった構成である。
【００８５】
尚、この第２パターンは、上記第１パターンから切り換えることも可能である。つまり、第１複合機能槽１１を培養槽とし、第２複合機能槽１２を収穫槽として運転している状況で、第１複合機能槽１１での養魚用餌料生物の繁殖速度が急激に高くなった場合に、第１複合機能槽１１への培養液の供給量を増大させ（例えば２倍として）、第３複合機能槽１２をも収穫槽として機能させるように１−３配管１ｃに備えられている各電動弁を開放するといった動作である。
【００８６】
（第３パターン）
本パターンは、本発明でいう「第２の複合機能槽使用形態」であって、上述した如く、培養槽として機能する複合機能槽よりも収穫槽として機能する複合機能槽の数を少なく設定してワムシの培養及び収穫を行うものである。ここでは、培養槽として機能する複合機能槽を３つとし、収穫槽として機能する複合機能槽を１つとした場合について説明する。
【００８７】
先ず、１−４配管１ｅ、２−４配管１ｄ、３−４配管１ｂにそれぞれ備えられている各電動弁のみを開放する。これにより、第４複合機能槽１４に対して、第１複合機能槽１１、第２複合機能槽１２、第３複合機能槽１３が連通することになる。つまり、一つの複合機能槽１４に対して３つの複合機能槽１１，１２，１３が連通することになる。この場合、上記第１複合機能槽１１と第２複合機能槽１２と第３複合機能槽１３とが培養槽として機能する一方、第４複合機能槽１４が培養槽として機能することになる。このため、この培養動作の開始前には、第４複合機能槽１４は空の状態となっている。
【００８８】
培養動作が開始されると、予め所定比率で混合された海水と上水との混合水が混合水槽６から混合水供給管６３を経て第１複合機能槽１１、第２複合機能槽１２、第３複合機能槽１３（共に培養槽）のメイン空間１Ａに単位時間当たりの供給量が一定（各槽１１，１２，１３それぞれ１日当たり３トンの供給量）とされて供給されていく。
【００８９】
この動作に伴って各複合機能槽１１，１２，１３のメイン空間１Ａの水位が上昇していき仕切部材１５を越えてオーバフローした混合水（所定密度の養魚用餌料生物を含んだ混合水）は各複合機能槽１１，１２，１３のオーバフロー空間１Ｂに流入していく。そして、このオーバフロー空間１Ｂに流入した混合水は、各配管１ｅ，１ｄ，１ｂを経て第４複合機能槽１４のオーバフロー空間１Ｂに流入していくことになる。この第４複合機能槽１４のオーバフロー空間１Ｂの水位が上昇し、仕切部材１５を越えてオーバフローした混合水は第４複合機能槽１４のメイン空間１Ａに流入していく。このようにして、第１、第２，第３の各複合機能槽１１，１２，１３で培養されたワムシが第４複合機能槽１４に収穫されていく。
【００９０】
そして、この第４複合機能槽１４に貯留される混合水が所定の水位に達すると、その底部に接続されている収穫管１ｊの電動弁が開放され且つワムシ移送ポンプＰ１が駆動することにより、第４複合機能槽１４から混合水が一気に引き抜かれて各濃縮洗浄槽２，２に供給される。
【００９１】
その後、この濃縮洗浄槽２，２での濃縮動作及び洗浄動作が行われ、栄養強化水槽３，３において濃縮クロレラや栄養が与えられて栄養強化（更なる培養）された後、回収器４及び給餌容器４２を経て各魚類飼育水槽５，５，…内の魚類へ給餌される。
【００９２】
本パターンでは、第１、第２、第３の各複合機能槽１１，１２，１３に対する混合水の単位時間当たりの給水量を少なく設定しながらも収穫槽（上記の場合は第４複合機能槽１４）での収穫量を高く維持することができる（第１、第２、第３の各複合機能槽１１，１２，１３それぞれに１日当たり３トンの培養液しか供給しなくても、第４複合機能槽１４には１日当たり９トンの培養液が貯留される）。例えば、養魚用餌料生物の繁殖速度が急激に低くなり、培養槽内での養魚用餌料生物の密度を維持するためには供給水量を低く抑えねばならない状況であっても、この培養槽の個数を多くすることで収穫量を高く維持することが可能になり、システムの生産性を高く維持することができる。
【００９３】
また、繁殖力の低いワムシを培養する際に、密度の適正化を図るべく混合水の給水量を低く設定した場合にも、収穫量を高く維持することが可能になる。
【００９４】
尚、本第３パターンでは、培養槽として機能する複合機能槽を３つとし、収穫槽として機能する複合機能槽を１つとした場合について説明した。これに限らず、培養槽として機能する複合機能槽を２つとし、収穫槽として機能する複合機能槽を１つとしてシステムを構成することも可能である。例えば、１−４配管１ｅ、２−４配管１ｄにそれぞれ備えられている各電動弁のみを開放する。これにより、第４複合機能槽１４に対して、第１複合機能槽１１、第２複合機能槽１２が連通することになり、二つの複合機能槽１１，１２に対して１つの複合機能槽１４が連通したシステム構成を実現できる。
【００９５】
また、本パターンにおいても、培養槽として機能する複合機能槽及び収穫槽として機能する複合機能槽は任意に選択することが可能である。例えば、第１、第２、第４複合機能槽１１，１２，１４を培養槽として機能させる一方、第３複合機能槽１３を収穫槽として機能させる等といった構成である。
【００９６】
（故障発生時対応パターン）
次に、上述の如く培養動作及び収穫動作が行われている場合に、何れか一つの複合機能槽に故障が発生した場合の対応パターンについて説明する。ここでは、上記第１パターンで培養動作及び収穫動作が行われている場合（第１複合機能槽１１及び第３複合機能槽１３が培養槽として機能している一方、第２複合機能槽１２及び第４複合機能槽１４が収穫槽として機能している場合）に、第２複合機能槽１２に故障が発生した場合の対応動作について説明する。
【００９７】
上記第１パターンで培養動作及び収穫動作が行われている場合に第２複合機能槽１２に故障が発生すると、この第２複合機能槽１２を収穫槽として使用することができなくなる。このため、第１複合機能槽１１と第２複合機能槽１２とを接続している１−２配管１ａの電動弁を閉鎖し、それに代えて、第１複合機能槽１１と第４複合機能槽１４とを接続している１−４配管１ｅの電動弁を開放する。つまり、第１複合機能槽１１と第４複合機能槽１４とを１−４配管１ｅにより連通させる。これにより、第１複合機能槽１１を培養槽とし、それに対応する収穫槽を第４複合機能槽１４とすることができる。このため、第２複合機能槽１２が故障した後であっても第１複合機能槽１１での培養動作を継続して行うことが可能になる。従来では、このような故障が発生した場合、故障した槽を補修している間に、培養槽での培養期間が長期化してしまって、槽内環境を悪化させてしまい、養魚用餌料生物を全滅させてしまう可能性があった。本形態によれば、故障した槽を他の槽で迅速に代用することが可能であり、収穫効率の維持を図ることができる。
【００９８】
尚、この動作は、収穫槽として使用していた第２複合機能槽１２に有毒な物質が混入してしまった場合にも適用できる。つまり、第２複合機能槽１２に有毒な物質が混入したことが検出された時点で、上記と同様の電動弁の切り換え動作を行って、この第２複合機能槽１２にワムシが排出されないようにする。これにより、ワムシの死滅量を削減することができ、収穫効率の維持を図ることができる。
【００９９】
また、上記動作説明では収穫槽として使用していた複合機能槽に故障が発生したり有毒物質が混入した場合について説明した。これに限らず、培養槽として使用していた複合機能槽に故障が発生したり有毒物質が混入した場合についても対応可能である。例えば、上記第１パターンで培養動作及び収穫動作が行われている場合に第１複合機能槽１１に故障が発生すると、この第１複合機能槽１１での培養動作が行えなくなり、第２複合機能槽１２への混合水供給が遮断され、ここでの繁殖が進んで過密度になる可能性がある。この場合、第１複合機能槽１１と第２複合機能槽１２とを接続している１−２配管１ａの電動弁を閉鎖し、それに代えて、第３複合機能槽１３と第２複合機能槽１２とを接続している２−３配管１ｆの電動弁を開放する。つまり、第３複合機能槽１３と第２複合機能槽１２とを２−３配管１ｆにより連通させる。これにより、第３複合機能槽１３を培養槽とし、それに対応する収穫槽を第４複合機能槽１４だけでなく第２複合機能槽１２とすることができる。このため、第２複合機能槽１２への混合水供給が維持され、この第２複合機能槽１２の収穫動作を継続して行うことが可能になる。尚、この動作は、培養槽として使用していた第１複合機能槽１１に有毒な物質が混入してしまった場合にも適用できる。
【０１００】
また、収穫槽として使用していた複合機能槽に故障が発生したり有毒物質が混入した場合に、それまで培養槽として使用していた複合機能槽を収穫槽としてみなし、この収穫槽にみなされた複合機能槽から混合水を引き抜いて濃縮洗浄槽２，２に供給するといった動作も可能である。この動作は、上記第１パターンで培養・収穫動作が行われている場合に限らず、第２，第３パターンで培養・収穫動作が行われている場合にも適用できる。
【０１０１】
−その他の実施例−
以上説明した実施例ではワムシを培養するシステムに本発明を適用した場合について説明した。本発明は、ワムシだけでなく、浮遊珪藻類等の他の養魚用餌料生物を培養するシステムにも同様に適用することが可能である。
【０１０２】
また、以上説明した実施例では４個の複合機能槽１１〜１４によって槽ユニット１を構成していたが、３個の複合機能槽または５個以上の複合機能槽によって槽ユニットを構成してもよい。
【０１０３】
また、本発明に係る培養システムの利用形態として、各複合機能槽同士の連通状態や各複合機能槽間での培養液の流通状態の設定によって従来から周知の植え継ぎ培養法や連続培養法を適用することも可能である。
【図面の簡単な説明】
【０１０４】
【図１】実施形態に係る培養システムの配管系統図である。
【図２】複合機能槽の内部構成を示す概略図である。
【図３】濃縮洗浄槽の内部構成を示す概略図である。
【図４】栄養強化槽の内部構成を示す概略図である。
【図５】（ａ）は平面図、（ｂ）は図５（ａ）におけるＢ−Ｂ線に沿った断面図、（ｃ）は図５（ａ）におけるＣ−Ｃ線に沿った断面図、（ｄ）は図５（ａ）におけるＤ部分の拡大図である。
【符号の説明】
【０１０５】
１１      第１複合機能槽
１２      第２複合機能槽
１３      第３複合機能槽
１４      第４複合機能槽
１ａ      １−２配管
１ｂ      ３−４配管
１ｃ      １−３配管
１ｄ      ２−４配管
１ｅ      １−４配管
１ｆ      ２−３配管
６        混合水槽
８        クロレラ貯留槽
８１      クロレラ給餌ポンプ
８２      クロレラ給餌管
【図１】
2005058037.tif 000003
【図２】
2005058037.tif 000004
【図３】
2005058037.tif 000005
【図４】
2005058037.tif 000006
【図５】
2005058037.tif 000007